(57)【要約】【課題】  燃料経済性のために燃焼度を高めた使用済みの高燃焼度燃料を収納する場合、燃料の燃焼度の増加に伴って、使用済み燃料に含まれる超ウラン元素や核分裂生成物の量が増加し、崩壊熱が増加するので、伝熱性を高めるとともに、強度健全性も高めたバスケットプレート構造を提供する。【解決手段】  胴本体内面に取り付けた円筒形状のサポートシリンダ１１の内側に、バスケットプレート１２の上下方向に板の縦方向幅の１／４の長さの切り欠きを複数設け、バスケットプレート１２を互いに直交してはめ合わせ、バスケットプレート１２の両端部の厚さ方向の中央部２１を切り欠きその端部に突起２２を設け、サポートシリンダ１１の内面には突起２２をはめ合わせる縦方向の２列の溝３１を直交する２方向に多数設け、バスケットプレート１２を溝３１に２方向互い違いに差し込みバスケット構造を構成した使用済み燃料収納容器。【選択図】        図５
2007033242.tif 000002
【特許請求の範囲】
【請求項１】
外周に中性子遮蔽体を有しγ線を遮蔽する胴本体のキャビティ内にバスケットプレートを用いて使用済み燃料集合体を収容する使用済み燃料収納容器において、
胴本体内面に取り付けた円筒形状のサポートシリンダの内側に、バスケットプレートの上下方向に板の縦方向幅の１／４の長さの切り欠きを複数設け、
前記バスケットプレートの両端部の厚さ方向中央部を切り欠きその端部に突起を設け、
前記サポートシリンダの内面には前記突起をはめ合わせる縦方向の２列の溝を直交する２方向に多数設け、
前記バスケットプレートを互いに直交してはめ合わせ、
前記バスケットプレートを前記溝に２方向互い違いに差し込みバスケット構造を構成することを特徴とする使用済み燃料収納容器。
【請求項２】
請求項１に記載の使用済み燃料収納容器において、
バスケットの中央部ではバスケットプレートの両端部の厚さ方向中央部の切り欠き形状を矩形状とし、
バスケットの周辺部ではバスケットプレートの両端部の厚さ方向中央部の切り欠き形状を平行四辺形状とし、
左右２個の突起の長さを等長とし、
サポートシリンダの縦溝の半径方向寸法をほぼ等しくしたことを特徴とする使用済み燃料収納容器。
【請求項３】
請求項１または２に記載の使用済み燃料収納容器において、
胴本体内面に取り付ける円筒形状のサポートシリンダの外径を胴本体の内径よりもやや大きくしておき、
胴本体を加熱するかまたはサポートシリンダを冷却した上ではめ合わせることを特徴とする使用済み燃料収納容器。
【請求項４】
請求項１ないし３のいずれか一項に記載の使用済み燃料収納容器において、
バスケットプレートを互いに直交させて組み立て格子状の空間を形成して使用済み燃料集合体を収容し、
周辺の燃料集合体を収納できない空間には、前記空間の内面形状に合せた断面形状のアルミニウム合金管を配置したことを特徴とする使用済み燃料収納容器。
【請求項５】
請求項１ないし３のいずれか一項に記載の使用済み燃料収納容器において、
バスケットプレートを互いに直交させて組み立て格子状の空間を形成し、
バスケットプレートとサポートシリンダ内面に取り付けた断面が三角形状または四角形状の第２の部材とにより格子状空間を形成して使用済み燃料集合体を収容することを特徴とする使用済み燃料収納容器。
【請求項６】
請求項１に記載の使用済み燃料収納容器において、
バスケットプレートの長手方向に複数の貫通孔を設け、貫通孔の上下に貫通する孔を多数設けたことを特徴とする使用済み燃料収納容器。
【請求項７】
請求項１または６に記載の使用済み燃料収納容器において、
長手方向の貫通孔の下面をＶ字状としたことを特徴とする使用済み燃料収納容器。
【請求項８】
請求項１または６に記載の使用済み燃料収納容器において、
バスケットプレートの上下面に凹形状の窪みを設けたことを特徴とする使用済み燃料収納容器。
【請求項９】
請求項１または６に記載の使用済み燃料収納容器において、
バスケットプレートの上面をＶ字状の凹面とし、下面をＶ字状の凸面とし、上下積み重ねたときに凸面と凹面が互いにはめ合わせることを特徴とする使用済み燃料収納容器。
【請求項１０】
請求項１または６に記載の使用済み燃料収納容器において、
バスケットプレートの上面を台形状の凹面とし、下面を上面の凹形状と同じ台形状の凸面とし、上下積み重ねたときに凸面と凹面が互いにはめ合わせることを特徴とする使用済み燃料収納容器。
【請求項１１】
請求項６に記載の使用済み燃料収納容器において、
２枚の平板同士を上下方向３箇所の平板とねじ締結し２個の貫通孔を形成させたことを特徴とする使用済み燃料収納容器。
【請求項１２】
請求項１に記載の使用済み燃料収納容器において、
バスケットプレートの上下方向の断面中央に長手方向の貫通孔を１個設け、上下方向両端は切り欠くとともに、切り欠き部の深さを上下方向長さの１／４としたことを特徴とする使用済み燃料収納容器。
【請求項１３】
請求項１ないし１２のいずれか一項に記載の使用済み燃料収納容器において、
前記バスケットプレートが、アルミニウム合金素材をアトマイズにより微粒子化し、平均粒径が５μｍ〜１０μｍの炭化ホウ素と混合し、それを加圧焼結させてから５００℃付近で押し出し成形した部材であることを特徴とする使用済み燃料収納容器。
【請求項１４】
請求項１３に記載の使用済み燃料収納容器において、
添加する炭化ホウ素の含有量を２〜３０％としたことを特徴とする使用済み燃料収納容器。
【請求項１５】
請求項１３または１４に記載の使用済み燃料収納容器において、
前記バスケットプレートが、炭化ホウ素を含有するアルミニウム合金の表面をアルマイト処理し輻射率を高くした部材であることを特徴とする使用済み燃料収納容器。
【発明の詳細な説明】
【技術分野】
【０００１】
本発明は、使用済み燃料収納容器に係り、特に、主として原子力発電所から発生する使用済み燃料を輸送または貯蔵する使用済み燃料収納容器のバスケット構造に関する。
【背景技術】
【０００２】
原子力発電施設の炉心で一定期間使用された燃料は、炉心より取出されて使用済み燃料プールなどに一時保管される。ここで所定期間冷却された燃料は最終的に再処理工場に搬出されて、再処理されウランとプルトニウムを再資源として取出し再利用される。
【０００３】
現在、原子力発電所で発生する使用済み燃料は電力需要の増加と共に増大しているので、再処理工場が稼動しても国内で発生する使用済み燃料は再処理工場での処理容量を上回ることになり、再処理されるまでの期間に適切に管理し貯蔵しなければならない。必要な貯蔵量は、２０１０年で４,４００ｔＵ、２０２０年で７,１００ｔＵと推定されている。
【０００４】
原子力発電所の敷地内または敷地外で管理し貯蔵する方法として、乾式キャスク貯蔵，ボールト貯蔵，サイロ貯蔵，コンクリートキャスク貯蔵などの乾式貯蔵方式と、水プールの湿式貯蔵方式とがある。コストと長期に亘る安定貯蔵を考えた場合に、乾式貯蔵が注目されている。
【０００５】
乾式貯蔵方式のうち、現在国内で実用化されているキャスク貯蔵方式は、使用済み燃料収納容器である乾式キャスクの中に使用済み燃料を収納し貯蔵する方法である(例えば、特許文献１参照)。
【０００６】
この使用済み燃料を収納した乾式キャスクでは、未臨界，除熱，遮蔽，構造強度を保証できる構造であることが要求される。すなわち、使用済み燃料を収納するバスケット材料にはホウ素化合物を添加して、使用済み燃料から出てくる中性子を吸収して未臨界性を担保することが重要である。また、使用済み燃料集合体から放出される中性子線とγ線を吸収する部材を収納容器の外周部に設けることが必要である。さらに、使用済み燃料は崩壊熱により発熱し、その熱により被覆管の温度が過度に上昇した場合、クリープ破壊を生じる可能性があるので、崩壊熱を収納容器の効率よく外部に逃がすことが必要である。そのために、使用済み燃料を収納するバスケット構造やその周りの構造は、熱伝導率のできるだけ高い材料を用い、かつ、不連続部では伝熱特性が優れた構造にすることが重要である。
【０００７】
【特許文献１】特開２００１−２０１５９５号公報(第５〜７頁  図１〜図７)
【発明の開示】
【発明が解決しようとする課題】
【０００８】
バスケットには、輸送，貯蔵時に受ける荷重に対して構造健全性を保つ強度の確保、使用済み燃料を収納したときに臨界になることを防ぐ未臨界性の確保、燃料から発生する崩壊熱を効率的に容器外表面に伝える伝熱性確保の３つの機能が求められる。
【０００９】
近年、燃料経済性を高めるために、燃焼度を高めた高燃焼度燃料が使用されている。燃料の燃焼度の増加に伴って、使用済み燃料に含まれる超ウラン元素や核分裂生成物の量が増加し、崩壊熱も増加する。したがって、高燃焼度燃料を収納するためのバスケットとしては、伝熱性を高めることが特に重要となる。
【００１０】
バスケットの伝熱性を高めるために、特許文献１では、バスケットプレート端部において使用済み燃料収納容器半径方向に凸部を設け、バスケットプレートと使用済み燃料収納容器本体との間に伝熱部材を配置して、バスケットプレートの凸部をはめ込み、伝熱性能を確保しようとしている。
【００１１】
このバスケットは長手方向に水ギャップを確保するため貫通部を有しており、そこに凸部を設ける場合、伝熱面積を広く取れないので、伝熱性能が必ずしも十分とはいえない。
【００１２】
また、貫通部を囲むように凸部を設けるため、凸部の板厚が薄くなるので、使用済み燃料収納容器の落下時などにおける荷重に対する強度の確保が困難となる。
【００１３】
本発明の課題は、バスケットプレートからそれを支持するサポートシリンダへの伝熱性能を確保するとともに構造強度信頼性も確保したバスケットプレート構造とサポートシリンダ構造とを備えた使用済み燃料収納容器を提供することである。
【課題を解決するための手段】
【００１４】
本発明は、上記課題を解決するために、バスケットプレート長手方向端部の中央に切り欠きを設け、バスケットプレートを支えるサポートシリンダに設けた２列の溝にバスケットプレートの板厚を有する２個の突起板を差し込む構造とし、伝熱面積を凸部構造に対してほぼ２倍として伝熱性能を大幅に高めるとともに、２個の突起板で荷重を支え、構造強度健全性を確保した。
【００１５】
特に、使用済み燃料収納容器本体キャビティの外周側のバスケットプレートにおいては、端部に切り欠く溝の形を左右非対称、すなわち、平行四辺形のように形状として２個の突起の長さを等しくし、サポートシリンダに加工する溝深さをほぼ同一として、伝熱性能を確保するとともに、サポートシリンダの板厚を薄くした。
【発明の効果】
【００１６】
本発明の使用済み燃料収納用バスケットおよびサポートシリンダを備えた使用済み燃料収納容器によれば、十分な構造強度を保持した上で、バスケットの除熱性能を高め、製造コストを下げることが可能となる。
【発明を実施するための最良の形態】
【００１７】
次に、図１〜図２２を参照して、本発明による使用済み燃料収納容器の実施例を説明する。
【実施例１】
【００１８】
図２は、本発明による使用済み燃料収納容器の全体構造の一例を示す斜視図である。
【００１９】
この容器は、合金鋼製の底部を有する筒状の本体１に、放射性物質の外部への漏洩を防止するために、図２では省略されている多数のボルトにより、２重の一次蓋２と二次蓋４が、取り付けられている。特に、一次蓋２の内部には、原子力発電所の燃料プールにおいて使用済み燃料を挿入して一次蓋２で封入した後、クレーンで吊り上げてオペレーションフロアに移動させる作業での被爆量を低減させるため、中性子遮蔽材として中性子吸収能力の高いホウ素を多量に含むレジン３を封じ込めてある。
【００２０】
本体１の外周側には、周方向を等角度で分割するように炭素鋼フィン５を設け、その先端を繋ぐように八つ橋状の曲げ円板を溶接により取り付けて外筒６を形成する。この外筒６と、炭素鋼フィン５および収納容器本体１で囲まれた空間には、熱伝導率の高いアルミニウム合金製の伝熱フィン７が多数配置されている。それらの開いた空間には、中性子遮蔽材としてのホウ素を多量に含むレジン８を鋳込んである。外筒６の両端には収納容器１の万一の落下時に衝撃荷重を緩和するための図示してない緩衝体を取り付ける端板９も設けてある。さらに、収納容器のクレーンによる運搬の際に吊り具を懸けるトラニオン１０を収納容器の上部に４個設け、下部に２個設けてある。本体１の内側にはサポートシリンダ１１を挿入してあり、その中にバスケット構造１２が組み込まれる。このバスケット構造は格子状に組まれており、その中に使用済み燃料集合体１５を収納する。
【００２１】
図１は、本発明による使用済み燃料収納容器の断面構造を示す平面図である。
【００２２】
図１では、使用済み燃料収納容器本体外周部の中性子遮蔽部と外筒は省略してある。使用済み燃料収納容器本体１の内側にはサポートシリンダ１１を挿入してある。このサポートシリンダ１１の内側には互いに直交する溝を加工してある。その溝にバスケットプレート１２を差し込んでバスケット構造を組み立てる。バスケットプレート１２は中性子吸収材を含むアルミニウム合金である。中性子吸収材としては、炭化ホウ素Ｂ４Ｃを添加する。そのホウ素濃度は重量比で２％〜１０％であり、収納する使用済み燃料に応じて濃度を調整する。このバスケットプレートには、基本的には、上下方向の上側と下側にそれぞれ板幅の１／４の深さの溝を加工する。
【００２３】
図３は、本発明によるバスケットプレートの溝の加工状況を示す斜視図である。
【００２４】
バスケットプレート１２の中間段１２ａには前述のように、上下方向の上側と下側に板幅の１／４の深さの溝１３、１４を加工する。その長手方向の間隔は収納する使用済み燃料の幅より少し広い。バスケットプレート１２の最上段１２ｂには下側だけに溝１４ｂを加工する。図３には図示していないが、バスケットプレート１２の最下段１２ｃには、上側だけに溝を加工する。これらのバスケットプレートを溝の部分で互いに直交させてはめ合わせ、垂直な方向に積み上げると、いわゆる菓子折り構造で、使用済み燃料を挿入する格子構造を形成できる。
【００２５】
図４は、本発明によるバスケット構造の組み上げ状態を示す斜視図である。図４には、中間段１２ａを３段とした例を示してある。
【００２６】
図４に示すように、このバスケットプレート１２を垂直方向に積み上げるときは、実際には、サポートシリンダ１１の内面に加工した多数の直交する縦溝に沿って、上方からバスケットプレートを差し込む。このとき、まずは、最下段を全て差し込んでから、直交する第２段を差し込む。これを繰り返して最後に最上段を差し込み、バスケットプレート構造を組み上げる。このように直交する縦溝を有するサポートシリンダ１１に菓子折り構造のバスケットプレート１２を差し込むことで組み上げられるので、溶接作業を必要としないので、組み立て時間が短時間で済む。また、溶接構造でないので、信頼性が高い。
【００２７】
このホウ素入りアルミニウム合金製のバスケットプレート１２により収納した燃料集合体１５の未臨界を保証するとともに、燃料集合体から崩壊熱により発生する熱を、サポートシリンダ１１、本体１、伝熱フィン７、レジン８、炭素鋼フィン５、外筒６、または、一次蓋２、二次蓋３を介して外部に効率よく放熱する。ホウ素入りアルミニウム合金の熱伝導率は添加されている炭化ホウ素の濃度に依存し、ホウ素濃度が増加するにつれて熱伝導率が低下し、２％から１０％の範囲では、約２００Ｗ／ｍ・Ｋから約１５０Ｗ／ｍ・Ｋである。
【００２８】
図５から図７にバスケットプレート１２のサポートシリンダ１１にはめ合わせる端部の構造を示す。
【００２９】
図５は、本発明によるバスケットプレートの構造を示す平面図である。
【００３０】
図５はサポートシリンダ１１の中央部に配置されたバスケットプレート１２の端部形状である。バスケットプレート１２の端部の断面中央部に矩形状の切り欠き２１ａを加工し、両側に２つの突起部２２ａ，２２ｂを設ける。一方、サポートシリンダ１１の内側には、バスケットプレート１２の両側の突起部２２ａ，２２ｂに対応する位置に縦溝３１ａ，３１ｂを加工し、その縦溝にバスケットプレート１２の突起部をはめ合わせる。このように両側に突起を設けると、突起の両側の面がサポートシリンダ１１の縦溝３１ａ，３１ｂの内面と接触熱伝導、または輻射伝導するため、バスケットプレート１２とサポートシリンダ１１との間の熱抵抗を小さくできる。
【００３１】
図６および図７は、本発明によるバスケットプレートの構造を示す平面図である。
【００３２】
図６と図７は、サポートシリンダ１１の外周側に配置されたバスケットプレート１２の端部形状である。バスケットプレート１２の端部の断面中央部にバスケットプレートの側面側を平行面とする平行四辺形の切り欠き２１ｂを加工し、両側に２つの突き出し長さの等しい突起部２２ｃ，２２ｄを設ける。一方、サポートシリンダ１１の内側には、バスケットプレート１２の両側の突起部２２ｃ，２２ｄに対応する位置に縦溝３１ｃ，３１ｄを加工し、その縦溝にバスケットプレート１２の突起部をはめ合わせる。このような突起形状にすると、図５のように突起先端部を揃えた場合と比べて、サポートシリンダサポートシリンダ１１の板厚を薄くできる。
【実施例２】
【００３３】
図８は、本発明によるバスケットプレートの構造を示す斜視図である。
【００３４】
図８には、別の実施例と併せて、バスケットプレート１２の端部の３次元形状を示す。バスケットプレート１２の長手方向には貫通孔２３ａ，２３ｂを開ける。
【００３５】
図９は、本発明によるバスケットプレートの構造を示す断面図である。
【００３６】
図８に示したように、端部には切り欠き２１を加工し、バスケットプレート１２の両側に突起部２２ａ，２２ｂを設ける。バスケットプレート１２の長手方向の途中には上下方向に縦方向幅の１／４の長さの切り欠き１３ｂ，１４ａを複数設ける。また、バスケットプレート１２の上板２４、中間板２５および下板２６には水抜き孔２７ａ，２７ｂ，２７ｃを多数開ける。使用済み燃料収納容器への使用済み燃料集合体１５の収納方法は次の通りである。使用済み燃料収納容器を原子力発電所の燃料貯蔵プールに沈め、貯蔵プール内の燃料ラックに収納してあった使用済み燃料を燃料棒交換装置を用いて使用済み燃料収納容器に移す。使用済み燃料収納容器が満杯になると、一次蓋を取り付けて、使用済み燃料収納容器はオペレーティングフロアに移動する。次いで、使用済み燃料収納容器内の水を抜く。このとき、バスケットプレート内の水が抜けやすくするために、水抜き孔２７を設ける。
【実施例３】
【００３７】
図１０は、本発明によるバスケットプレートの構造を示す断面図である。
【００３８】
図１０には別の実施例を示す。実施例２で説明したように、使用済み燃料収納容器に使用済み燃料集合体１５を収納してから使用済み燃料収納容器内の水を抜くのは非常に手間が掛かる作業である。水を抜いた後は、真空乾燥により内部の水分を取り除く。できるだけ短時間で乾燥させるためには、極力水分を抜いておくことが必要である。バスケットプレート１２の貫通孔２３ａ，２３ｂの内部に溜まった水を抜けやすくするためには流路を形成することが肝要である。そこで、図９に示したように、バスケットプレート１２の上板２４、中間板２５および下板２６には水抜き孔２７ａ，２７ｂ，２７ｃを多数開ける。中間板２５や下板２６の上面は水平であるので、水が抜け難い。そこで、図１０に示したように、水が溜まりやすい中間板２６と下板２６の上側をＶ字形状として水が流れやすくする。
【実施例４】
【００３９】
図１１は、本発明によるバスケットプレートの構造を示す断面図である。
【００４０】
図１０に示した構造では、バスケットプレート１２の上面と下面の間が密着して隙間を形成するので、その隙間に表面張力により水が溜まり抜け難い。そのため、隙間部を極力排除するため、図１１のように、バスケットプレート１２の上面と下面に凹み部２８ａ，２８ｂを設ける。
【実施例５】
【００４１】
図１２は、本発明によるバスケットプレートの構造を示す断面図であり、図１３は、図１２のバスケットプレートの組み立て状態を示す断面図である。
【００４２】
バスケットプレート１２を図４に示したように菓子折り構造にして上下方向に積み上げたとき、上下のバスケットプレート１２の加工精度が悪い場合、バスケットプレート１２の上下間で段差ができ、そこで収納する使用済み燃料集合体１５がぶつかる可能性がある。それをできるだけ排除するため、図１２では、バスケットプレートの上面２４をＶ字状の凹面２９とし、下面２６をＶ字状の凸面３０とし、図１３に示したように、上下積み重ねたときに凸面と凹面を互いにはめ合わせ、上下のバスケットプレート１２の寸法公差や長手方向の曲がりなどに起因する段差を極力少なくする。
【実施例６】
【００４３】
図１４は、本発明によるバスケットプレートの構造を示す断面図であり、図１５は、図１４のバスケットプレートの組み立て状態を示す断面図である。
【００４４】
バスケットプレート１２の上面を台形状の凹面３１とし、下面２６を上面２４の凹形状と同じ台形状の凸面３２とし、上下積み重ねたときに凸面と凹面を互いにはめ合わせ、上下バスケットプレート１２の間の段差をなくす。
【実施例７】
【００４５】
図１６は、本発明によるバスケットプレートの構造を示す断面図である。
【００４６】
図９から図１６に示したバスケットプレートは後述するような押し出し加工により成形する。しかし、ホウ素添加量が増えた場合には、押し出し加工に要する費用が高額となる。そこで、ホウ素添加量が多い場合には、図１６に示したように、２枚の平板同士４１ａ，４１ｂを上下方向３箇所の平板４２、４３、４４とねじ４５で締結し、２個の貫通孔２３ａ，２３ｂを形成させる。このような平板であれば、押し出し成形費用を抑えることが可能となるので、使用済み燃料収納容器の製造コストを低減できる。この場合、バスケットプレート１２の上板４２、中間板４３、下板４４周りの形状は、前述の図１０から図１５のような形状にしてもよい。
【実施例８】
【００４７】
図１７，図１８，図１９は、本発明によるバスケットプレートの構造を示す断面図であり、図２０は、図１７のバスケットプレートの構造を示す斜視図である。
【００４８】
図１７には別の実施例を示す。図９から図１６にはバスケットプレート１２には長手方向に貫通孔２３を２個設けてある。バスケットプレート１２には上下方向に板の縦方向幅の１／４の長さの切り欠きを複数設けてある。
【００４９】
バスケットプレート１２の強度設計上、最も厳しい条件は使用済み燃料収納容器の水平落下に対する健全性である。水平落下時には、バスケットプレートの横方向に荷重が掛かることになる。そのとき、切り欠きが縦方向幅の１／４の長さで設けてあるので、上板２４と下板２６は荷重分担しないことになり、無駄な構造となる。
【００５０】
そこで、図１７に示したように、バスケットプレート１２の上下方向の断面中央に長手方向の貫通孔５１を１個設け、上下方向両端は切り欠くとともに、切り欠き部５２ａ，５２ｂの深さを上下方向長さの１／４とする。このようにすると、上板５３と下板５５が効果的に荷重分担することになり、強度上は中間板がなくなること、および、強度が増した分上板５３と下板５５を薄くできるので、バスケットプレートを軽量化できる。
【００５１】
図１８には上板５３と下板５５の断面を水抜きしやすい形状にした例を示す。
【００５２】
図１９は水平落下荷重に対して、図１７や図１８の形状では強度が不足する場合に、中間板５４を追加した構造である。
【００５３】
図２０には、図１７の断面構造のバスケットプレートの３次元構造を示す図である。
【実施例９】
【００５４】
バスケット構造内部に収納した使用済み燃料集合体１５の崩壊熱を、バスケットプレート１２、サポートシリンダ１１、使用済み燃料収納容器本体１などを介して外部に放熱する。途中の熱抵抗は、極力低減することが望ましい。そこで、使用済み燃料収納容器本体１内面に取り付ける円筒形状のサポートシリンダ１１の外径を使用済み燃料収納容器本体の内径よりもやや大きくしておき、使用済み燃料収納容器本体１を加熱するか、または、サポートシリンダ１１を冷却した上で両者をはめ合わせる。これにより使用済み燃料収納容器本体１とサポートシリンダ１１を密着させて、この間の熱抵抗を減少させ、使用済み燃料収納容器中心部の温度を低下させる。
【実施例１０】
【００５５】
バスケットプレート１２を互いに直交させて組み立て格子状の空間を形成するときに、形状寸法によっては、バスケットプレート１２をサポートシリンダに取り付けられない場合がある。図１の場合、バスケット構造の中心部では１６個の使用済み燃料集合体１５を収納できる格子ができている。
【００５６】
これに対して、周辺部では、使用済み燃料集合体１５を収納できる寸法はあるものの、バスケットプレート１２をサポートシリンダに取り付けられない。このような場合、水平断面が三角形状または四角形状の支持部材６１をサポートシリンダ内面に取り付け、これとバスケットプレート１２とにより格子状空間を形成して使用済み燃料集合体１５を２４個収容できるようにする。
【実施例１１】
【００５７】
図２１は、本発明による伝熱管を配置した使用済み燃料収納容器の断面構造を示す平面図である。
【００５８】
バスケットプレート１２を互いに直交させて組み立て格子状の空間を形成して使用済み燃料集合体１５を収容する。バスケットプレート１２の材質として、ホウ素濃度が高い場合には、熱伝導率が低いので、使用済み燃料収納容器中心部の冷却が不十分となることがある。そのため、周辺の燃料集合体を収納できない空間に、その空間の内面形状に合せた断面形状のアルミニウム合金管６２，６３を配置する。これによってバスケットプレート１２とサポートシリンダ１１との間の熱抵抗を減少させる。アルミニウム合金管の材質としては、熱伝導率の高いＡ１１００などを使用する。
【実施例１２】
【００５９】
図２２は、本発明によるバスケットプレートの製造手順を示すフローチャートである。
【００６０】
まず、アルミニウム合金素材のインゴットを電解法などにより製造する。そのアルミニウム合金素材をアトマイズにより直径２０〜３０μｍ程度に微粒子化したアルミニウム粉末を製造する。それとは別に、平均粒径が５〜１０μｍの炭化ホウ素を製造する。アルミニウム合金粉末と炭化ホウ素粉末を十分均一になるように混合する。それを一旦円筒形状のゴム型に充填する。次に加圧焼結させてビレットを成形する。そして、５００℃付近まで加熱してから押し出し成形する。このとき、十分な強度が得られるように押し出し直後は２００〜３００℃／minの冷却速度となるように強制空冷する。
【００６１】
以上の実施例において、バスケットプレート１２に使用するホウ素添加アルミニウム合金では、収納する使用済み燃料集合体１５の燃料条件に応じて、添加する炭化ホウ素量を２〜３０％で調整する。
【００６２】
使用済み燃料集合体１５の崩壊熱は、まずは、バスケットプレート１２に部分的な接触と輻射により伝えられる。輻射率はバスケットプレート１２の表面状態に依存する。押し出しのままでは輻射率は高々０.０５である。これに対して、アルマイト処理すると、輻射率は０.８程度まで高くできる。これによって燃料被覆管の温度をかなり低下させることが可能となる。
【図面の簡単な説明】
【００６３】
【図１】本発明による使用済み燃料収納容器の断面構造を示す平面図である。
【図２】本発明による使用済み燃料収納容器の全体構造の一例を示す斜視図である。
【図３】本発明によるバスケットプレートの溝の加工状況を示す斜視図である。
【図４】本発明によるバスケット構造の組み上げ状態を示す斜視図である。
【図５】本発明によるバスケットプレートの構造を示す平面図である。
【図６】本発明によるバスケットプレートの構造を示す平面図である。
【図７】本発明によるバスケットプレートの構造を示す平面図である。
【図８】本発明によるバスケットプレートの構造を示す斜視図である。
【図９】本発明によるバスケットプレートの構造を示す断面図である。
【図１０】本発明によるバスケットプレートの構造を示す断面図である。
【図１１】本発明によるバスケットプレートの構造を示す断面図である。
【図１２】本発明によるバスケットプレートの構造を示す断面図である。
【図１３】本発明によるバスケットプレートの組み立て状態を示す断面図である。
【図１４】本発明によるバスケットプレートの構造を示す断面図である。
【図１５】本発明によるバスケットプレートの組み立て状態を示す断面図である。
【図１６】本発明によるバスケットプレートの構造を示す断面図である。
【図１７】本発明によるバスケットプレートの構造を示す断面図である。
【図１８】本発明によるバスケットプレートの構造を示す断面図である。
【図１９】本発明によるバスケットプレートの構造を示す断面図である。
【図２０】図１７のバスケットプレートの構造を示す斜視図である。
【図２１】本発明による伝熱管を配置した使用済み燃料収納容器の断面構造を示す平面図である。
【図２２】本発明によるバスケットプレートの製造手順を示すフローチャートである。
【符号の説明】
【００６４】
１  放射性物質収納容器
２  一次蓋
３  レジン
４  二次蓋
５  炭素鋼フィン
６  外筒
７  伝熱フィン
８  レジン(中性子吸収材)
９  下部端板
１０  トラニオン
１１  サポートシリンダ
１２  バスケットプレート
１３，１４  切り欠き
１５  使用済み燃料集合体
２１  切り欠き
２２  突起
２３  貫通孔
２４  上板
２５  中間板
２６  下板
２７  水抜き孔
２８  凹み部
２９  Ｖ字状の凹面
３０  Ｖ字状の凸面
３１  縦溝
３２  台形状の凹面
３３  台形状の凸面
４１  平板
４２  上板
４３  中間板
４４  下板
４５  ねじ
５１  貫通孔
５２  切り欠き部
５３  上板
５４  中間板
５５  下板
６１  支持部材
６２，６３  伝熱管
【図１】
2007033242.tif 000003
【図２】
2007033242.tif 000004
【図３】
2007033242.tif 000005
【図４】
2007033242.tif 000006
【図５】
2007033242.tif 000007
【図６】
2007033242.tif 000008
【図７】
2007033242.tif 000009
【図８】
2007033242.tif 000010
【図９】
2007033242.tif 000011
【図１０】
2007033242.tif 000012
【図１１】
2007033242.tif 000013
【図１２】
2007033242.tif 000014
【図１３】
2007033242.tif 000015
【図１４】
2007033242.tif 000016
【図１５】
2007033242.tif 000017
【図１６】
2007033242.tif 000018
【図１７】
2007033242.tif 000019
【図１８】
2007033242.tif 000020
【図１９】
2007033242.tif 000021
【図２０】
2007033242.tif 000022
【図２１】
2007033242.tif 000023
【図２２】
2007033242.tif 000024